(57)【要約】      （修正有）【課題】過去の記録情報から、今後の医療行為を実施する際に気をつけるべき事の把握、検査方法、看護方法、使用するリソースを選択／決定するのに要する時間を短縮させる方法とそのシステムを提供し、また、医療スタッフが把握すべき情報が埋もれないようなシステムを提供する。【解決手段】患者検査情報と、該患者検査情報に含まれるユーザに注目させるためのリマインド情報と、該リマインド情報を有するか否かを判別するリマインド判別情報とが関連付けられて入力される入力手段２０と、患者検査情報とリマインド情報とリマインド判別情報とが格納される第１の格納手段２３と、リマインド判定情報を検索する検索手段２１と、検索結果に基づくリマインド表示制御手段２８等と、を備える医療支援システム。【選択図】図３
2006277655.tif 000002
【特許請求の範囲】
【請求項１】
患者の検査に関する情報である患者検査情報と、該患者検査情報に含まれる情報のうちユーザに注目させるための情報であるリマインド情報と、該リマインド情報を有するか否かを判別するリマインド判別情報とが関連付けられて入力されるユーザグラフィカルインターフェースである入力手段と、
前記患者検査情報と前記リマインド情報と前記リマインド判別情報とが格納される第１の格納手段と、
前記リマインド判定情報を検索する検索手段と、
前記検索手段による検索結果に基づいて、前記リマインド情報を表示させる制御をするリマインド表示制御手段と、
を備えることを特徴とする医療支援システム。
【請求項２】
前記リマインド情報は、所定の文字列情報であることを特徴とする請求項１に記載の医療支援システム。
【請求項３】
前記医療支援システムは、さらに、前記入力手段を格納する第２の格納手段を備え、
前記入力手段は、前記検査に対応する複数の前記ユーザグラフィカルインターフェースを有し、
前記リマインド情報は、前記ユーザグラフィカルインターフェースのうちのいずれかに前記リマインド判別情報が付与された場合、前記第２の格納手段内で該リマインド判別情報が付された該ユーザグラフィカルインターフェースが格納されている所在を示す情報である格納所在情報を含んでいる
ことを特徴とする請求項１に記載の医療支援システム。
【請求項４】
前記医療支援システムは、さらに、前記入力手段を格納する第２の格納手段を備え、
前記入力手段は、前記検査に対応する複数の前記ユーザグラフィカルインターフェースを有し、
前記リマインド情報は、前記ユーザグラフィカルインターフェースのうちのいずれかの所定の位置に前記リマインド判別情報が付与された場合、前記第２の格納手段内で該リマインド判別情報が付された該ユーザグラフィカルインターフェースが格納されている所在を示す情報である格納所在情報と前記所定の位置に関する情報とを含んでいる
ことを特徴とする請求項１に記載の医療支援システム。
【請求項５】
前記リマインド表示制御手段は、前記検索手段による検索結果に基づいて、前記格納所在情報と関連付けられた旨を示す標識を表示させる
ことを特徴とする請求項３、または４に記載の医療支援システム。
【請求項６】
前記医療支援システムは、さらに、
前記患者検査情報を取得する取得手段と、
前記患者検査情報に関して条件に関する情報を示す条件情報を設定する条件設定手段と、
前記取得手段または前記入力手段により取得した前記患者検査情報と前記条件設定手段により設定した情報とを比較手段と、
前記比較手段の比較結果に基づいて、前記患者検査情報に前記リマインド判別情報を付与するリマインド判別情報付与手段と、
を備えることを特徴とする請求項１に記載の医療支援システム。
【請求項７】
前記設定手段は、少なくとも、前記検査の結果に対応する条件を示す条件情報と、前記リマインド情報として該条件情報に対応する所定の文字列情報とが作成される
ことを特徴とする請求項６に記載の医療支援システム。
【請求項８】
患者の検査に関する情報である患者検査情報と、該患者検査情報に含まれる情報のうちユーザに注目させるための情報であるリマインド情報と、該リマインド情報を有するか否かを判別するリマインド判別情報とが関連付けられて入力されるユーザグラフィカルインターフェースを表示させる入力表示処理と、
前記患者検査情報と前記リマインド情報と前記リマインド判別情報とを格納する格納処理と、
前記リマインド判別情報を検索する検索処理と、
前記検索処理による検索結果に基づいて、前記リマインド情報を表示させる制御をするリマインド表示制御処理と、
を、コンピュータに実行させる医療支援プログラム。
【請求項９】
前記リマインド情報は、所定の文字列情報である請求項８に記載の医療支援プログラム。
【請求項１０】
前記入力表示処理により表示される複数の前記ユーザグラフィカルインターフェースはそれぞれ、前記検査に対応し、
前記リマインド情報は、前記ユーザグラフィカルインターフェースのうちのいずれかに前記リマインド判別情報が付与された場合、前記リマインド判別情報が付された該ユーザグラフィカルインターフェースが格納されている所在を示す情報である格納所在情報を含んでいる
請求項８に記載の医療支援プログラム。
【請求項１１】
前記入力表示処理により表示される複数の前記ユーザグラフィカルインターフェースはそれぞれ、前記検査に対応し、
前記リマインド情報は、前記ユーザグラフィカルインターフェースのうちのいずれかの所定の位置に前記リマインド判別情報が付与された場合、前記リマインド判別情報が付された該ユーザグラフィカルインターフェースが格納されている所在を示す情報である格納所在情報と該所定の位置に関する情報とを含んでいる
請求項８に記載の医療支援プログラム。
【請求項１２】
前記リマインド表示制御処理は、前記検索処理による前記検索結果に基づいて、前記格納所在情報と関連付けられた旨を示す標識を表示させる
請求項１０、または１１に記載の医療支援プログラム。
【請求項１３】
前記医療支援プログラムは、さらに、
前記患者検査情報を取得する取得処理と、
前記患者検査情報に関して条件に関する情報を示す条件情報を設定する条件設定処理と、
前記取得処理または前記入力表示処理により取得した前記患者検査情報と前記条件設定処理により設定した情報とを比較処理と、
前記比較処理の比較結果に基づいて、前記患者検査情報に前記リマインド判別情報を付与するリマインド判別情報付与処理と、
を、コンピュータに実行させる請求項８に記載の医療支援プログラム。
【請求項１４】
前記設定処理は、少なくとも、前記検査の結果に対応する条件を示す条件情報と、前記リマインド情報として該条件情報に対応する所定の文字列情報とが作成される
請求項１３に記載の医療支援プログラム。
【請求項１５】
患者の検査に関する情報である患者検査情報と、該患者検査情報に含まれる情報のうちユーザに注目させるための情報であるリマインド情報と、該リマインド情報を有するか否かを判別するリマインド判別情報とが関連付けられて入力されるユーザグラフィカルインターフェースを表示させ、
前記患者検査情報と前記リマインド情報と前記リマインド判別情報とを格納し、
前記リマインド判別情報を検索し、
該検索結果に基づいて前記リマインド情報を表示させる制御をする
ことを特徴とする医療支援方法。
【請求項１６】
前記医療支援方法は、さらに、
前記患者検査情報を取得し、
前記患者検査情報に関して条件に関する情報を示す条件情報を設定し、
前記取得した前記患者検査情報または前記インターフェースにより取得した前記患者検査情報と前記条件情報とを比較し、
前記比較の結果に基づいて、前記患者検査情報に前記リマインド判別情報を付与する
ことを特徴とする請求項１５に記載の医療支援方法。
【発明の詳細な説明】
【技術分野】
【０００１】
本発明は、医療機関における医療の情報管理を行う医療支援システムに関する。
【背景技術】
【０００２】
病院内の各部門（例えば、看護部門、内視鏡部門、生理部門など）のシステムでは、医療スタッフによって種々の情報が入力される。また、これらの各部門システムは、病院情報システム（ＨＩＳ）からの患者情報や観測装置からの測定情報等を受信して、保存している。このように、各部門システムでは、様々な情報を入力／出力／記録／保存している。
【０００３】
図１６は、従来、部門システムの画面の一例を示す。同図において、画面上部には複数のタブが表示されており、各タブをマウス等でクリックして選択すると、画面左側に示すように、複数のメニューが表示される。各メニューを選択すると、そのメニューの詳細情報が画面中央の領域に表示される。
【０００４】
このような病院内の部門の情報を入力／出力／記録／保存している部門情報システムを用いることにより、今後の医療行為を実施する際に気をつけるべき事の把握の際や、検査方法、看護方法、使用するリソース（スタッフ、検査室、機器、薬品など）を選択／決定していた。
【特許文献１】特開２００１−３３８０５９号公報
【特許文献２】特開２００３−１０８６６１号公報
【特許文献３】特開２００２−２６３０７０号公報
【特許文献４】特開２００３−１５９７７号公報
【発明の開示】
【発明が解決しようとする課題】
【０００５】
しかしながら、上述の選択／決定の際に、現在までに入力／記録した情報を１つ１つ振り返りながら、把握／選択／決定していたので、時間を要していた。また、上述の通り、複数タブのそれぞれに複数のメニュー画面が存在しており、医療スタッフが把握すべき情報の所在がどこなのかが分かりにくく、把握すべき情報が埋もれてしまいがちだった。
【０００６】
上記の課題に鑑み、本発明では、過去の記録情報から、今後の医療行為を実施する際に気をつけるべき事の把握、検査方法、看護方法、使用するリソースを選択／決定するのに要する時間を短縮させる方法とそのシステムを提供する。また、医療スタッフが把握すべき情報の所在を分かりやすくし、把握すべき情報が埋もれないようなシステムを提供する。
【課題を解決するための手段】
【０００７】
上記課題は、特許請求の範囲の請求項１に記載の発明によれば、患者の検査に関する情報である患者検査情報と、該患者検査情報に含まれる情報のうちユーザに注目させるための情報であるリマインド情報と、該リマインド情報を有するか否かを判別するリマインド判別情報とが関連付けられて入力されるユーザグラフィカルインターフェースである入力手段と、前記患者検査情報と前記リマインド情報と前記リマインド判別情報とが格納される第１の格納手段と、前記リマインド判定情報を検索する検索手段と、前記検索手段による検索結果に基づいて、前記リマインド情報を表示させる制御をするリマインド表示制御手段と、を備えることを特徴とする医療支援システムを提供することによって達成できる。
【０００８】
上記課題は、特許請求の範囲の請求項２に記載の発明によれば、前記リマインド情報は、所定の文字列情報であることを特徴とする請求項１に記載の医療支援システムを提供することによって達成できる。
【０００９】
上記課題は、特許請求の範囲の請求項３に記載の発明によれば、前記医療支援システムは、さらに、前記入力手段を格納する第２の格納手段を備え、前記入力手段は、前記検査に対応する複数の前記ユーザグラフィカルインターフェースを有し、前記リマインド情報は、前記ユーザグラフィカルインターフェースのうちのいずれかに前記リマインド判別情報が付与された場合、前記第２の格納手段内で該リマインド判別情報が付された該ユーザグラフィカルインターフェースが格納されている所在を示す情報である格納所在情報を含んでいることを特徴とする請求項１に記載の医療支援システムを提供することによって達成できる。
【００１０】
上記課題は、特許請求の範囲の請求項４に記載の発明によれば、前記医療支援システムは、さらに、前記入力手段を格納する第２の格納手段を備え、前記入力手段は、前記検査に対応する複数の前記ユーザグラフィカルインターフェースを有し、前記リマインド情報は、前記ユーザグラフィカルインターフェースのうちのいずれかの所定の位置に前記リマインド判別情報が付与された場合、前記第２の格納手段内で該リマインド判別情報が付された該ユーザグラフィカルインターフェースが格納されている所在を示す情報である格納所在情報と前記所定の位置に関する情報とを含んでいることを特徴とする請求項１に記載の医療支援システムを提供することによって達成できる。
【００１１】
上記課題は、特許請求の範囲の請求項５に記載の発明によれば、前記リマインド表示制御手段は、前記検索手段による検索結果に基づいて、前記格納所在情報と関連付けられた旨を示す標識を表示させることを特徴とする請求項３、または４に記載の医療支援システムを提供することによって達成できる。
【００１２】
上記課題は、特許請求の範囲の請求項６に記載の発明によれば、前記医療支援システムは、さらに、前記患者検査情報を取得する取得手段と、前記患者検査情報に関して条件に関する情報を示す条件情報を設定する条件設定手段と、前記取得手段または前記入力手段により取得した前記患者検査情報と前記条件設定手段により設定した情報とを比較手段と、前記比較手段の比較結果に基づいて、前記患者検査情報に前記リマインド判別情報を付与するリマインド判別情報付与手段と、を備えることを特徴とする請求項１に記載の医療支援システムを提供することによって達成できる。
【００１３】
上記課題は、特許請求の範囲の請求項７に記載の発明によれば、前記設定手段は、少なくとも、前記検査の結果に対応する条件を示す条件情報と、前記リマインド情報として該条件情報に対応する所定の文字列情報とが作成されることを特徴とする請求項６に記載の医療支援システムを提供することによって達成できる。
【００１４】
上記課題は、特許請求の範囲の請求項８に記載の発明によれば、患者の検査に関する情報である患者検査情報と、該患者検査情報に含まれる情報のうちユーザに注目させるための情報であるリマインド情報と、該リマインド情報を有するか否かを判別するリマインド判別情報とが関連付けられて入力されるユーザグラフィカルインターフェースを表示させる入力表示処理と、前記患者検査情報と前記リマインド情報と前記リマインド判別情報とを格納する格納処理と、前記リマインド判別情報を検索する検索処理と、前記検索処理による検索結果に基づいて、前記リマインド情報を表示させる制御をするリマインド表示制御処理と、を、コンピュータに実行させる医療支援プログラムを提供することによって達成できる。
【００１５】
上記課題は、特許請求の範囲の請求項９に記載の発明によれば、前記リマインド情報は、所定の文字列情報である請求項８に記載の医療支援プログラムを提供することによって達成できる。
【００１６】
上記課題は、特許請求の範囲の請求項１０に記載の発明によれば、前記入力表示処理により表示される複数の前記ユーザグラフィカルインターフェースはそれぞれ、前記検査に対応し、前記リマインド情報は、前記ユーザグラフィカルインターフェースのうちのいずれかに前記リマインド判別情報が付与された場合、前記リマインド判別情報が付された該ユーザグラフィカルインターフェースが格納されている所在を示す情報である格納所在情報を含んでいる請求項８に記載の医療支援プログラムを提供することによって達成できる。
【００１７】
上記課題は、特許請求の範囲の請求項１１に記載の発明によれば、前記入力表示処理により表示される複数の前記ユーザグラフィカルインターフェースはそれぞれ、前記検査に対応し、前記リマインド情報は、前記ユーザグラフィカルインターフェースのうちのいずれかの所定の位置に前記リマインド判別情報が付与された場合、前記リマインド判別情報が付された該ユーザグラフィカルインターフェースが格納されている所在を示す情報である格納所在情報と該所定の位置に関する情報とを含んでいる請求項８に記載の医療支援プログラムを提供することによって達成できる。
【００１８】
上記課題は、特許請求の範囲の請求項１２に記載の発明によれば、前記リマインド表示制御処理は、前記検索処理による前記検索結果に基づいて、前記格納所在情報と関連付けられた旨を示す標識を表示させる請求項１０、または１１に記載の医療支援プログラムを提供することによって達成できる。
【００１９】
上記課題は、特許請求の範囲の請求項１３に記載の発明によれば、前記医療支援プログラムは、さらに、前記患者検査情報を取得する取得処理と、前記患者検査情報に関して条件に関する情報を示す条件情報を設定する条件設定処理と、前記取得処理または前記入力表示処理により取得した前記患者検査情報と前記条件設定処理により設定した情報とを比較処理と、前記比較処理の比較結果に基づいて、前記患者検査情報に前記リマインド判別情報を付与するリマインド判別情報付与処理と、を、コンピュータに実行させる請求項８に記載の医療支援プログラムを提供することによって達成できる。
【００２０】
上記課題は、特許請求の範囲の請求項１４に記載の発明によれば、前記設定処理は、少なくとも、前記検査の結果に対応する条件を示す条件情報と、前記リマインド情報として該条件情報に対応する所定の文字列情報とが作成される請求項１３に記載の医療支援プログラムを提供することによって達成できる。
【００２１】
上記課題は、特許請求の範囲の請求項１５に記載の発明によれば、患者の検査に関する情報である患者検査情報と、該患者検査情報に含まれる情報のうちユーザに注目させるための情報であるリマインド情報と、該リマインド情報を有するか否かを判別するリマインド判別情報とが関連付けられて入力されるユーザグラフィカルインターフェースを表示させ、前記患者検査情報と前記リマインド情報と前記リマインド判別情報とを格納し、前記リマインド判別情報を検索し、該検索結果に基づいて前記リマインド情報を表示させる制御をすることを特徴とする医療支援方法を提供することによって達成できる。
【００２２】
上記課題は、特許請求の範囲の請求項１６に記載の発明によれば、前記医療支援方法は、さらに、前記患者検査情報を取得し、前記患者検査情報に関して条件に関する情報を示す条件情報を設定し、前記取得した前記患者検査情報または前記インターフェースにより取得した前記患者検査情報と前記条件情報とを比較し、前記比較の結果に基づいて、前記患者検査情報に前記リマインド判別情報を付与することを特徴とする請求項１５に記載の医療支援方法を提供することによって達成できる。
【発明の効果】
【００２３】
本発明を用いることにより、気をつけるべき事の把握、検査方法、看護方法、使用するリソースを選択／決定するのに要する時間の短縮を図ることができる。また、把握すべき情報が埋もれることが無くなる。
【発明を実施するための最良の形態】
【００２４】
＜第１の実施の形態＞
図１は、本実施形態における病院内の部門システムの全体構成を示す。病院内のシステムは、病院情報システム１（以下、ＨＩＳ（Ｈｏｓｐｉｔａｌ  Ｉｎｆｏｍａｔｉｏｎ  Ｓｙｓｔｅｍ）という）、内視鏡部門システム２、放射線部門システム２ａ、看護部門システム２ｃ、他部門システム２ｂ，２ｄ、及びこれらの部門システム等を接続する院内ＬＡＮ５等から構築されている。
【００２５】
ＨＩＳ１は、患者の基礎情報や会計情報等の管理するシステムである。このＨＩＳ１は、病院内のシステムにおいて、他の部門システムの上位に位置するシステムである。内視鏡部門システム２は、内視鏡を用いた検査や処置に関する情報を管理するシステムである。看護部門システム２ｃは、例えば、患者の検温情報、患者へ投与した薬剤に関する情報、入院期間の情報等の患者への看護に関する情報を管理するシステムである。放射線部門システム２ａは、ＣＴ等の放射線診断機器により撮像した画像等を管理するシステムである。
【００２６】
なお、本実施形態では、内視鏡部門システム２を例に説明するが、本発明は内視鏡部門システム２に限定されず、その他のあらゆる部門システムについて、適用することができる。
【００２７】
図２は、本実施形態における内視鏡部門システム２の詳細を示す。内視鏡部門システム２は、内視鏡部門サーバ３、バイタルサインモニタ１０、クライアントパーソナルコンピュータ（クライアントＰＣ）１１、ＰＣモニタ１２、洗浄装置１３、ビデオプロセッサ１４、内視鏡像観察モニタ１５、アクセスポイント１６、携帯端末（ＰＤＡ）１７、及びこれらを接続する部門内ＬＡＮ１８から構成されている。部門内ＬＡＮ１８は、院内ＬＡＮ５と接続されている。
【００２８】
バイタルサインモニタ１０は、患者のバイタルサイン（心拍数、血圧、酸素飽和度等）を登録・観察するためのものである。バイタルサインモニタ１０は、クライアントＰＣ１１を介して部門内ＬＡＮ１８に接続されていてもよいし、直接部門内ＬＡＮ１８に接続されていてもよい。
【００２９】
クライアントＰＣ１３は、内視鏡部門サーバ３へ入力データを送信したり、内視鏡部門サーバ３に格納された情報を参照したり、部門内ＬＡＮ１８に接続された医療機器（バイタルサインモニタ１０、クライアントＰＣ１１、ＰＣモニタ１２、洗浄装置１３、ビデオプロセッサ１４、内視鏡像観察モニタ１５、アクセスポイント１６、携帯端末（ＰＤＡ）１７等）により取得された情報を参照したりする端末である。
【００３０】
ＰＣモニタ１２は、クライアントＰＣ１２のモニタである。洗浄装置１３は、内視鏡を洗浄するための装置である。ビデオプロセッサ１４は、内視鏡により撮像された内視鏡画像を画像処理する装置である。内視鏡像観察モニタ１５は、ビデオプロセッサ１２で画像処理された内視鏡画像を表示する装置である。アクセスポイント１６は、無線によりＰＤＡ１７を部門内ＬＡＮ１８に接続するためのインターフェースである。
【００３１】
図３は、本実施形態における内視鏡部門サーバ３の構成概念図を示す。内視鏡部門サーバ３は、入力手段２０、検索手段２１、リマインド表示制御手段２２、第１の格納手段２３、第２の格納手段２４、取得手段２５、条件設定手段２６、比較手段２７、リマインド判別情報付与手段２８から構成される。
【００３２】
本実施形態において、リマインド情報とは、特出すべき情報、次回患者が来院したときのために特に把握しておきたい情報、または注意を促したい情報等をいう。
入力手段２０は、内視鏡部門システムに記録されるデータの中でリマインドしたい情報を入力、または指定する。クライアントＰＣ１１には、例えばブラウザを介して、部門内ＬＡＮ１８経由で、患者検査情報（患者の検査に関する情報）と、リマインド情報（該患者検査情報に含まれる情報のうちユーザに注目させるための情報）と、リマインド判別情報（該リマインド情報を有するか否かを判別する情報、以下に示すリマインド情報フラグ）とを入力するためのユーザグラフィカルインターフェースが表示される。
【００３３】
第１の格納手段２３は、入力手段２０で入力されて関連付けられた患者検査情報とリマインド情報とリマインド判別情報とが格納されるＤＢ４である。この第１の格納手段２３は、例えば後述する大容量記憶装置３ｂに相当する。
【００３４】
検索手段２１は、第１の格納手段２３に格納されたリマインド判別情報を検索する。第２の格納手段２４は、後述するように、リマインド情報画面３０ｂからリンクされた所定の部門システム情報入力画面へ遷移するために、その部門システム情報入力画面のリンク先情報（アドレス等）が格納されている。この第２の格納手段２４は、後述する大容量記憶装置３ｂに相当する。
【００３５】
リマインド表示制御手段２２は、検索手段２１により検索されたリマインド情報を後述するリマインド情報一覧８６として表示させる。取得手段２５は、入力手段２５以外を経由して部門内ＬＡＮ１８等からの患者検査情報を取得する。この取得手段２５は、後述する通信Ｉ／Ｆ３ｃに相当する。
【００３６】
条件設定手段２６は、患者検査情報に関して条件（自動リマインド設定情報）を設定する。比較手段２７は、取得手段２５により取得された患者検査情報または入力手段２５により入力された患者検査情報が条件に合致するか否かを判断する。
【００３７】
リマインド判別情報付与手段２８は、その条件に合致した患者検査情報に対して、リマインド判別情報（リマインド情報フラグ）を付与する。
なお、これらの手段は、１つのサーバ内に存在する必要は無く、複数のサーバ等にまたがって存在していても良い。
【００３８】
図４は、本実施形態における内視鏡部門サーバ３のハードウェア構成の概要を示す。内視鏡部門サーバ３は、少なくともＣＰＵ３ａ、大容量記憶装置（ハードディスク等）３ｂ、通信インターフェース（以下、インターフェースをＩ／Ｆと称する）３ｃ、出力Ｉ／Ｆ３ｄ、記憶装置（ＲＡＭ、ＲＯＭ等）３ｅ、入力Ｉ／Ｆ３ｆ、及びこれらを接続するバス３ｇから構成される。
【００３９】
通信Ｉ／Ｆ３ｃは、部門内ＬＡＮ１８との通信インターフェースである。大容量記憶装置３ｂには、データベース（ＤＢ）４が構築されたり、内視鏡部門システムのプログラムがインストールされたりしている。後述するプログラムは、記憶装置または大容量記憶装置に格納されており、そのプログラムがＣＰＵ３ａに読み出されて、後述するように実行される。
【００４０】
入力Ｉ／Ｆ３ｆは、入力装置（例えば、キーボード、マウス、または電子カメラ、マイク、スキャナ、センサ、タブレットなど）と接続するためのインターフェースである。出力Ｉ／Ｆ３ｄは、出力装置（ディスプレイ、プリンタ、スピーカなど）と接続するためのインターフェースである。
【００４１】
図５は、本実施形態における部門システム情報入力画面（タブ「患者ファイル」選択時）の一例を示す。部門システム情報入力画面３０は、部門内ＬＡＮ１８を介して、クライアントＰＣ１１から内視鏡部門サーバ３内の内視鏡部門システムにログインした場合に表示される。
【００４２】
当該部門システム情報入力画面３０は、タブ３１（「患者ファイル」３１ａ、「患者登録」３１ｂ、「前処置」３１ｃ、「検査」３１ｄ、「後処置」３１ｅ、「管理者」３１ｆ、「リマインド」３１ｇ）、メニュー選択領域３２、患者名表示領域３３、メニュー表示領域３４から構成される。
【００４３】
タブ３１のうち何れかを選択すると、その選択されたタブに表記された情報について参照することができる。同図では、タブ「患者ファイル」３１ａが選択されているので、患者に関する情報（患者の固有情報、検査情報、看護情報、経過情報、病歴情報等）を参照することができる。
【００４４】
患者名表示領域３３には、患者名が表示される。メニュー選択領域３２には、タブ「患者ファイル」３１ａの有するメニュー情報（「患者検索」、「患者サマリー」、「警告設定」、「上部消化管履歴」、「肺疾患履歴」、「投薬履歴」、「家族情報」）が表示されているので、その中からいずれかを選択することができる。
【００４５】
メニュー表示領域３４には、メニュー選択領域３２で選択されたメニューの詳細な内容が表示される。同図では、メニュー「上部消化管履歴」が選択されているので、上部消化管履歴に関する患者の情報がメニュー表示領域３４に表示される。
【００４６】
メニュー表示領域３４には、一例として、「過去の診断」一覧３５、「過去の外科手術」一覧３６、「過去の検査」一覧３７、追加ボタン３８（３８ａ，３８ｂ，３８ｃ）、「リマインド設定」ボタン５０、「保存」ボタン５１、「次」ボタン５２が表示されている。
【００４７】
「過去の診断」一覧３５は、過去の診断の記録が表示される。「過去の診断」一覧３５を構成する１レコード（診断情報レコードという）は、「日付」、「診断」、「臓器」、「コメント」、「確定した病状」、「レポート編集」の項目から構成される。項目「レポート編集」にある編集ボタン３５ａを押下すると、当該編集ボタン３５ａに対応する診断情報レコードを編集することができる。追加ボタン３８ａを押下すると、新たに診断情報レコードを追加して、診断情報を入力することができる。
【００４８】
「過去の外科手術」一覧３６は、過去の外科手術の記録が表示される。過去の外科手術」一覧３６を構成する１レコード（外科手術情報レコードという）は、「日付」、「外科手術」、「臓器」、「コメント」、「削除」の項目から構成される。追加ボタン３８ｂを押下すると、外科手術情報レコードを追加して、外科手術情報を入力することができる。
【００４９】
「過去の検査」一覧３７は、過去の検査の記録が表示される。「過去の検査」一覧３７を構成する１レコード（検査情報レコード）は、「日付」、「検査種別」、「コメント」、「レポート」、「削除」の項目から構成される。追加ボタン３８ｃを押下すると、検査情報レコードを追加して、検査情報を入力することができる。削除ボタン３７ａを押下すると、対応する検査情報レコードを削除する。
【００５０】
「リマインド設定」ボタン５０を押下すると、図６のリマインド情報入力方式選択画面が表示される。「保存」ボタン５１を押下すると、メニュー表示領域３４の内容が保存される。「次」ボタン５２を押下すると、メニュー表示領域３４に次のページが表示される（メニュー表示領域３４の表示領域を越えて複数の一覧が表示される場合には、複数ページにまたがることになるので、そのページ送りをするためのボタンである。）。
【００５１】
図６は、本実施形態におけるリマインド情報入力方式選択画面を示す。リマインド情報入力方式選択画面６０は、「テキスト方式」ボタン６１、「画面リンク方式」ボタン６２、「キャンセル」ボタン６３から構成される。
【００５２】
「テキスト方式」ボタン６１を押下すると、図７のリマインドテキスト入力画面が表示される。「画面リンク方式」ボタン６２を押下すると、図５の部門システム情報入力画面３０の所定位置にチェックボックスが表示される（図８参照）。キャンセルボタン６３を押下すると、当該リマインド情報入力方式選択画面６０を閉じる。
【００５３】
図７は、本実施形態におけるリマインドテキスト入力画面を示す。リマインドテキスト入力画面７０は、リマインド情報入力欄７１、ＯＫボタン７２、キャンセルボタン７３から構成される。
【００５４】
リマインド情報入力欄７１には、リマインドの内容をテキスト入力することができる。同図では、「スコープの挿入がしにくい大腸であった：Ｄｒ．Ａ」旨の内容のテキストが入力されている。ＯＫボタン７２を押下すると、リマインド情報入力欄７１に入力した情報およびその他必要な情報を保存することができる。キャンセルボタン７３を押下すると、当該リマインドテキスト入力画面７０を閉じる。
【００５５】
図８は、画面リンク方式が選択された場合の図５の部門システム情報入力画面３０を示す。図５と比較して、チェックボックス３９（３９ａ，３９ｂ，３９ｃ）、チェックボックス４０（４０ａ，４０ｂ）が表示されている。
【００５６】
チェックボックス３９ａには、「過去の診断」一覧３５についてリマインドするために、チェックすることができる。チェックボックス３９ｂには、「過去の外科手術」一覧３６についてリマインドするために、チェックすることができる。チェックボックス３９ｃには、「過去の検査」一覧３７についてリマインドするために、チェックすることができる。
【００５７】
また、チェックボックス４０は、検査レコードについてリマインドするために、チェックすることができる。これらについては、後述する。
それでは、図５〜図８の画面の遷移を、図９を参照しながら説明する。
【００５８】
図９は、本実施形態におけるリマインド情報の設定のフローを示す。まず、図５で説明したように、クライアントＰＣ１１上で部門システム情報入力画面３０を開いてユーザが所定の情報を入力する（ステップ１、以下ステップを「Ｓ」と略する）。このとき、ユーザは、部門システム情報入力画面３０内でリマインドしたい情報があると判断した場合には（Ｓ２で「ＹＥＳ」へ進む）、「リマインド設定」ボタン５０を押下する（Ｓ３）。
【００５９】
「リマインド設定」ボタン５０が押下されると、リマインド情報入力方式選択画面６０（図６参照）が表示される（Ｓ４）。キャンセルボタン６３を押下すると（Ｓ４で「ＮＯ」へ進む）、当該リマインド情報入力方式選択画面６０を閉じて本フローは終了する。テキスト方式または画面リンク方式により、リマインド情報を設定したい場合にはＳ６へ進む。
【００６０】
リマインド情報の設定方式をテキスト方式とする場合には、「テキスト方式」ボタン６１が押下する（Ｓ６で「テキスト方式」へ進む）。すると、リマインドテキスト入力画面７０が表示される（Ｓ７）。ユーザは、リマインドの内容をリマインド情報入力欄７１に入力する（Ｓ８）。
【００６１】
ＯＫボタン７２を押下すると、リマインド情報入力欄７１に入力した情報（リマインド内容データ）と、画面種別データ（タブ３１うち選択されたタブ及びメニュー選択領域３２で特定される）と、リマインド情報フラグ＝ＯＮ（リマインド情報フラグは、リマインド情報であるか否かを示す。）とが内視鏡部門サーバ３へ送信され、ＤＢ４へ登録される（Ｓ９）。登録後は、当該リマインドテキスト入力画面７０は閉じて、部門システム情報入力画面３０（図５参照）へ戻る。
【００６２】
一方、リマインド情報の設定方式を画面リンク方式とする場合には、「画面リンク方式」ボタン６２が押下する（Ｓ６で「画面リンク方式」へ進む）。すると、図８に示すように、部門システム情報入力画面３０の所定位置にチェックボックス（例えば、チェックボックス３９，４０等）が表示される（Ｓ１０）。以下、図８の部門システム情報入力画面を３０ａで表す。
【００６３】
ユーザは、部門システム情報入力画面３０ａ全体をマーキングするのか、または部門システム情報入力画面３０ａ内のうちリマインドしたい情報の位置（どの一覧か、またはどのレコードか等）をマーキングするかを判断する（Ｓ１１）。
【００６４】
部門システム情報入力画面３０ａ内のうちリマインドしたい情報の位置（一覧またはレコード）をマーキングする場合には、その一覧に対応するチェックボックス３９またはそのレコードに対応するチェックボックス４０のチェックをＯＮにする（Ｓ１２）。
【００６５】
Ｓ１３の後、保存ボタン５１を押下すると、画面種別データと、マーキング位置の情報（どの一覧に対応するチェックボックスまたはどのレコードに対応するチェックボックスにチェックしたかという情報）と、リマインド情報フラグ＝ＯＮの情報と、当該部門システム情報入力画面３０ａの画面情報と、大容量記憶装置３ｂ内において格納されているアドレス情報（画面リンク情報）と、当該部門システム情報入力画面３０ａに入力されているその他の情報（患者の検査情報等）とが内視鏡部門サーバ３へ送信され、ＤＢ４へ登録される（Ｓ１３）。
【００６６】
Ｓ１１において、部門システム情報入力画面３０ａ全体をマーキングする場合には、保存ボタン５１を押下する。そうすると、画面種別データと、リマインド情報フラグがＯＮの情報と、当該部門システム情報入力画面３０ａの画面情報が大容量記憶装置３ｂ内において格納されているアドレス情報（画面リンク情報）と、部門システム情報入力画面３０ａに入力されているその他の情報（患者の検査情報等）とが内視鏡部門サーバ３へ送信され、ＤＢ４へ登録される（Ｓ１４）。
【００６７】
上記のように、他のタブ３１内において表示される情報についても同様にマーキングすることができる。以下では、このマーキングしたリマインド情報またはテキスト入力したリマインド情報の利用について説明する。
【００６８】
図１０は、本実施形態における部門システム情報入力画面（タブ「リマインド」選択時）の一例を示す。図５または図８において、タブ「リマインド」３１ｇが選択されると、リマインド情報画面３０ｂが表示される。リマインド情報画面３０ｂでは、複数のタブ３１間でまたがって付与されたマーキングを一元的に参照することができる。
【００６９】
リマインド情報画面３０ｂは、患者ＩＤ８１、患者名８２、日付（Ｆｒｏｍ）８３、日付（ｔｏ）８４、検索ボタン８５、リマインド情報一覧８６、検査種別リストボックス９５から構成される。患者ＩＤ８１、患者名８２、日付（Ｆｒｏｍ）８３、日付（ｔｏ）８４の各項目には、検索条件が入力される。また、検査種別リストボックス９５をクリックすると、検査種別のリストが表示されるので、いずれかを選択して検索条件とすることができる。同図では、一例として、患者名８２に「ＡＢＣ」、日付（Ｆｒｏｍ）８３に「２００５／１／１」、日付（ｔｏ）８４に「２００５／１／５」が入力されている。
【００７０】
検索条件を入力後、検索ボタン８５を押下すると、その検索の結果がリマインド情報一覧８６に表示される。リマインド情報一覧８６は、各タブ（画面種別）毎のマーキング情報を日別に確認することができる。
【００７１】
リマインド情報一覧８６は、項目「日付」８７、項目「患者名」８８、項目「患者ファイル」８９、項目「患者登録」９０、項目「前処置」９１、項目「検査」９２、項目「後処置」９３、項目「管理者」９４の項目から構成されている。
【００７２】
項目「日付」８７には、日付（Ｆｒｏｍ）８３と日付（ｔｏ）８４とで設定された日付が１日単位で表示される。項目「患者名」８８には、患者名８２に入力された患者名が表示される。
【００７３】
項目「患者ファイル」８９ａ、項目「患者登録」８９ｂ、項目「前処置」８９ｃ、項目「検査」８９ｄ、項目「後処置」８９ｅ、項目「管理者」８９ｆはそれぞれ、タブ「患者ファイル」３１ａ、タブ「患者登録」３１ｂ、タブ「前処置」３１ｃ、タブ「検査」３１ｄ、タブ「後処置」３１ｅ、タブ「管理者」３１ｆに対応する項目である。
【００７４】
リマインド情報一覧８６内に表示されているテキストは、図７のリマインドテキスト入力画面で入力したデータである。また、リマインド情報一覧８６内に表示されている星印は、画面リンク方式によりリンクされたことを示している。
【００７５】
それでは、図１１を参照しながら、図１０の画面の使用の一例を示す。
図１１は、本実施形態におけるリマインド情報の検索フローを示す。まず、ユーザは、部門内ＬＡＮを介して、クライアントＰＣ１１から内視鏡部門サーバ３内の内視鏡部門システムを起動させ、当該内視鏡部門システムにログインする（Ｓ２１）。そうすると、部門システム情報入力画面３０が表示されるので、例えば、図５または図８において、タブ「リマインド」３１ｇを押下する（Ｓ２２）。
【００７６】
そうすると、リマインド情報画面３０ｂが表示される。そこで、ユーザは、患者ＩＤ８１、患者名８２、日付（Ｆｒｏｍ）８３、日付（ｔｏ）８４のいずれかに、検索条件を入力して（Ｓ２３）、検索ボタン８５を押下する（Ｓ２４）。ここでは、検索条件として患者名８２＝「ＡＢＣ」、日付（Ｆｒｏｍ）８３＝「２００５／１／１」、日付（ｔｏ）８４＝「２００５／１／５」とする。
【００７７】
そうすると、その検索条件が内視鏡部門サーバ３へ送信される。内視鏡部門サーバ３では、ＣＰＵ３ａにより、ＤＢ４からその検索条件に合致する患者情報が検索される。さらに、ＣＰＵ３ａは、その検査された患者情報の中から、リマインド情報フラグ＝ＯＮの患者情報レコードを抽出する（Ｓ２４）。
【００７８】
Ｓ２４でリマインド情報フラグ＝ＯＮの患者情報レコードが抽出された場合には、ＣＰＵ３ａは、画面種別データ、リマインド内容データ、画面リンク情報（図９のＳ１３，Ｓ１４で登録された情報）をＤＢ４から読み込む（Ｓ２６）。
【００７９】
Ｓ２６で読み込まれた情報はクライアントＰＣ１１へ送信され、リマインド情報画面３０ｂのリマインド情報一覧８６に表示される（Ｓ２７）。このとき、「テキスト方式」で入力されたテキスト情報（リマインド内容データ）は、リマインド情報一覧８６内の該当するセルに表示される。例えば、タブ「検査」３１ｄを選択して、そのタブ「検査」３１ｄ内に設けられた「リマインド設定」ボタンを押下して、リマインドテキスト入力画面７０でリマインド情報が入力されて内視鏡部門サーバ３に登録されていた場合には、送信された画面種別データとリマインド情報とに基づいて、リマインド情報一覧８６の検査８９ｄの列にその登録した情報が表示される。
【００８０】
また、例えば、タブ「患者ファイル」３１ｄを選択して、そのタブ「検査」３１ｄ内に設けられた「リマインド設定」ボタンを押下して、「画面リンク方式」ボタン６２を押下して、部門システム情報入力画面３０ａ全体をマーキングするのか、または部門システム情報入力画面３０ａ内のうちリマインドしたい情報の位置にマーキングがされて内視鏡部門サーバ３に登録されていた場合には、リマインド情報一覧８６の検査８９ａの列にその画面リンク情報に対応するリンクマーク（星印）が表示される。
【００８１】
なお、Ｓ２５において、リマインド情報フラグ＝ＯＮの患者情報レコードが抽出されない場合には、リマインド情報が無いので、「リマインド情報はありません」旨のメッセージをリマインド情報画面３０ｂ上にオーバーレイ表示させる（Ｓ２８）。
【００８２】
図１２は、本実施形態におけるリマインド情報の参照フローを示す。図１１により、リマインド情報画面３０ｂのリマインド情報一覧８６に表示される。このとき、リマインド情報一覧８６にリンクマークがある場合には、そのリンクマークをクリックする（Ｓ３１）。例えば、マウスポインタ９０を用いて、項目「患者ファイル」９０のリンクマーク９１をクリックする。
【００８３】
そうすると、そのリンクマーク９１がそのクリックされた旨の情報が内視鏡部門サーバ３に送信される。内視鏡部門サーバ３のＣＰＵ３ａでは、そのリンクマーク９１に対応する画面リンク情報を大容量記憶装置３ｂから読み出す（Ｓ３２）。
【００８４】
そして、その読み出した画面リンク情報に基づいて、そのリンクされた部門システム情報入力画面の所定のタブ３１及び所定のメニュー選択領域３２を表示させる（Ｓ３３）。このとき、図９のＳ１２でマーキングされているなら、その所定位置のチェックボックス（例えば、３９、４０等）のチェックをＯＮにする。上記の例では、図８の部門システム情報入力画面３０ａが表示される。
【００８５】
以上より、リマインド情報を一元管理することができる。また、伝達すべき情報の伝達もれがなくなるため、リマインド情報の伝達性も向上する。また、過去の記録情報から、今後の医療行為を実施する際に気をつけるべき事の把握、検査方法、看護方法、使用するリソースは、リマインド情報として一元管理されているため、その選択／決定するのに要する時間を短縮させることができる。また、医療スタッフが把握すべき情報の所在を分かりやすくし、把握すべき情報が埋もれることがなくなる。
【００８６】
＜第２の実施の形態＞
第１の実施形態では手動でリマインド情報を設定していたが、実施形態では所定の条件に一致した場合には、自動でリマインド情報を設定することについて説明する。
【００８７】
図１３は、本実施形態における自動リマインド設定画面を示す。自動リマインド設定画面１００は、実施形態では所定の条件に一致した場合には、自動でリマインド情報を設定するために、その条件を設定するための画面である。自動リマインド設定画面１００は、タブ「管理者」３１ｆをクリックして、所定の操作をすると表示される。
【００８８】
自動リマインド設定一覧１０１、保存ボタン１０２、キャンセルボタン１０３から構成される。自動リマインド設定一覧１０１には、自動でリマインドさせたいケースに関する情報について設定する。
【００８９】
保存ボタン１０２を押下すると、自動リマインド設定一覧１０１で設定した内容が内視鏡部門サーバ３に保存される。キャンセルボタン７３を押下すると、当該リマインドテキスト入力画面７０を閉じる。
【００９０】
自動リマインド設定一覧１０１は、項目「項目情報」１０１ａ、項目「リマインド条件」１０１ｂ、項目「リマインド機能  ＯＮ／ＯＦＦ」１０１ｃ、項目「リマインド文書」１０１ｄから構成される。
【００９１】
項目「項目情報」１０１ａには、設定する対象となる情報名（「バイタルサイン」、「体温」、「アレルギー」、「感染症」等）が表示される。リマインド条件には、「項目情報」１０１ａに表示された情報に対する条件（どのような状態であるか、または特定の情報か、あり／なし等）を設定する。
【００９２】
項目「リマインド機能  ＯＮ／ＯＦＦ」１０１ｃには、自動でリマインド情報を設定するリマインド機能を有効にするか否を、チェックボックスをＯＮ／ＯＦＦすることにより選択することができる。項目「リマインド文書」１０１ｄには、リマインドさせたい情報をテキスト入力することができる。
【００９３】
図１４は、本実施形態における自動リマインド設定画面１００にリマインド条件の設定するフローを示す。まず、タブ「管理者」３１ｆをクリックすると、種々の管理画面へ遷移するためのボタンが複数表示されている。そのボタンのうち、「自動リマインド設定画面」ボタンを押下すると、図１３の自動リマインド設定画面１００が表示される（Ｓ４１）。
【００９４】
次に、自動リマインド設定一覧１０１の項目「リマインド条件」１０１ｂに、リマインド条件を入力する（Ｓ４２）。
例えば、「バイタルサイン」の「リマインド条件」１０１ｂには「心拍」と「酸素飽和度」が表示される。同図では、「心拍」は「２００」以上または「５０」以下が入力されている。例えば、「体温」の「リマインド条件」１０１ｂには体温が「３７．０」以上が入力されている。
【００９５】
例えば、「血液型」の「リマインド条件」１０１ｂには血液型「ＲＨ−」または「ＲＨ＋」が入力されている。例えば、「アレルギー」の「リマインド条件」１０１では「あり」が選択されている。例えば、「感染症」の「リマインド条件」１０１では「あり」が選択されている。
【００９６】
次に、リマインド機能のＯＮ／ＯＦＦを入力する（Ｓ４３）。同図では、バイタルサインの「心拍」及び「酸素飽和度」と「血液型」について、項目「リマインド機能  ＯＮ／ＯＦＦ」１０１ｃのチェックボックスがＯＮになっている。
【００９７】
次に、項目「リマインド文書」１０１ｄのテキストボックスにリマインド文章を入力する（Ｓ４５）。例えば、同図では、バイタルサインの「心拍」について、「心拍数が異常値を示しましたので、ご注意下さい。」が入力されている。また、バイタルサインの「酸素飽和度」について、「酸素飽和度が異常値を示しましたので、ご注意下さい。」が入力されている。また、「体温」について、「体温が３７．０度以上あります。ご注意下さい。」が入力されている。また、「血液型」について、「ＲＨ系の血液型患者である。輸血時には、十分ご注意下さい。」が入力されている。また、「アレルギー」について、「この患者はアレルギーをお持ちです。ご注意下さい。」が入力されている。
【００９８】
Ｓ４２〜Ｓ４４で自動リマインド設定一覧１０１の内容を入力した後、保存ボタン１０２を押下する。そうすると、自動リマインド設定一覧１０１で設定した内容（以下、「自動リマインド設定情報」という）が内視鏡部門サーバ３に保存される（Ｓ４５）。
【００９９】
このようにして、リマインドさせる条件を設定することができる。それでは、以下では、この条件に合致した場合に自動でリマインド情報を設定することについて説明する。
図１５は、本実施形態におけるリマインド情報の設定フローを示す。まず、部門内ＬＡＮ１８に接続されている医療機器から患者に関する情報が内視鏡部門サーバ３へ送信され、内視鏡部門サーバ３のＣＰＵ３ａの制御によりＤＢ４へ登録される（Ｓ５１）。例えば、バイタルサインモニタ１０からは、患者のバイタルサインデータが内視鏡部門サーバ３へ送信される。
【０１００】
次に、内視鏡部門サーバ３では、Ｓ５１で登録された情報の項目が、図１４で予め登録された自動リマインド設定情報の情報項目と一致するか否かが判断される（Ｓ５２）。一致すればＳ５３へ進み、一致しなければ本フローは終了する。
【０１０１】
例えば、Ｓ５１でバイタルサインデータが送信された場合、自動リマインド設定情報の情報項目にバイタルサインがあるかが検索される。本実施形態では、図１３での設定が自動リマインド設定情報として登録されているので、自動リマインド設定情報の情報項目に「バイタルサインデータ」が含まれている。したがって、一致する。
【０１０２】
次に、内視鏡部門サーバ３のＣＰＵ３ａでは、一致したリマインド情報項目のリマインド機能がＯＮになっているか否かが判断される（Ｓ５３）。リマインド機能がＯＮに設定されていれば、Ｓ５４へ進み、そうでなければ本フローは終了する。上記の例の場合、自動リマインド設定情報の情報項目「バイタルサインデータ（心拍数）」のリマインド機能はＯＮに設定されているので、Ｓ５４へ進む。
【０１０３】
次に、内視鏡部門サーバ３のＣＰＵ３ａでは、Ｓ５１で送信された情報が、自動リマインド設定情報に設定されたリマインド条件を満たしているか否かが判断される（Ｓ５４）。リマインド条件を満たしていればＳ５５へ進み、そうでなければ本フローは終了する。例えば、Ｓ５１で送信されたバイタルサインデータの心拍数が２５０であれば、自動リマインド設定情報で設定されたリマインド条件「心拍数≧２００  または、心拍数≦５０」を満たす。
【０１０４】
Ｓ５４のリマインド条件を満たす場合には、リマインド情報フラグをＯＮにして、ＤＢ４に登録する（Ｓ５５）。また、その患者のバイタルサインデータとともに、リマインド文章も「リマインド内容データ」としてＤＢ４に登録する。また、医療機器を用いてその患者のバイタルサインデータを取得するときには、その医療行為に該当する部門システム情報入力画面３０のタブ及びメニュー選択領域３２が選択されているので、その情報（すなわち、画面種別情報と画面リンク情報）も患者のバイタルサインデータとともに内視鏡部門サーバ３に送信されるので、その画面種別情報と画面リンク情報も患者のバイタルサインデータとともにＤＢ４に格納する。
【０１０５】
このようにすることで、第１の実施形態（図１１のフロー）と同様に、リマインド情報画面３０ｂのリマインド情報一覧８６にリマインド情報を設定することができる。例えば、図１０では、セルＡで示される部分が本実施形態により設定されたものである。つまり、リマインド文章とともにリンクマークが表示されている。
【０１０６】
以上より、自動でリマインド情報を設定することができるので、よりユーザの作業負担の軽減を図ることができる。
【図面の簡単な説明】
【０１０７】
【図１】第１の実施形態における病院内の部門システムの全体構成を示す。
【図２】第１の実施形態における内視鏡部門システム２の詳細を示す。
【図３】第１の実施形態における内視鏡部門サーバ３の構成概念図を示す。
【図４】第１の実施形態における内視鏡部門サーバ３のハードウェア構成の概要を示す。
【図５】第１の実施形態における部門システム情報入力画面（タブ「患者ファイル」選択時）の一例を示す。
【図６】第１の実施形態におけるリマインド情報入力方式選択画面を示す。
【図７】第１の実施形態におけるリマインドテキスト入力画面を示す。
【図８】画面リンク方式が選択された場合の図５の部門システム情報入力画面３０を示す。
【図９】第１の実施形態における実施形態におけるリマインド情報の設定のフローを示す。
【図１０】第１の実施形態における部門システム情報入力画面（タブ「リマインド」選択時）の一例を示す。
【図１１】第１の実施形態におけるリマインド情報の検索フローを示す。
【図１２】第１の実施形態におけるリマインド情報の参照フローを示す。
【図１３】第２の実施形態における自動リマインド設定画面を示す。
【図１４】第２の実施形態における自動リマインド設定画面１００にリマインド条件の設定するフローを示す。
【図１５】第２の実施形態におけるリマインド情報の設定フローを示す。
【図１６】従来における部門システムの画面の一例を示す。
【符号の説明】
【０１０８】
１      ＨＩＳ
２      内視鏡部門システム
２ａ    放射線部門システム
２ｃ    看護部門システム
２ｂ，２ｄ  他部門システム
３      内視鏡部門サーバ
４      ＤＢ
５      院内ＬＡＮ
１０    バイタルサインモニタ
１１    クライアントＰＣ
１２    ＰＣモニタ
１３    洗浄装置
１４    ビデオプロセッサ
１５    内視鏡像観察モニタ
１６    アクセスポイント
１７    ＰＤＡ
１８    部門内ＬＡＮ
２０    入力手段
２１    検索手段
２２    リマインド表示制御手段
２３    第１の格納手段
２４    第２の格納手段
２５    取得手段
２６    条件設定手段
２７    比較手段
２８    リマインド判別情報付与手段
３ａ    ＣＰＵ
３ｂ    大容量記憶装置
３ｃ    通信Ｉ／Ｆ
３ｄ    出力Ｉ／Ｆ
３ｅ    記憶装置
３ｆ    入力Ｉ／Ｆ
３ｇ    バス
【図１】
2006277655.tif 000003
【図２】
2006277655.tif 000004
【図３】
2006277655.tif 000005
【図４】
2006277655.tif 000006
【図５】
2006277655.tif 000007
【図６】
2006277655.tif 000008
【図７】
2006277655.tif 000009
【図８】
2006277655.tif 000010
【図９】
2006277655.tif 000011
【図１０】
2006277655.tif 000012
【図１１】
2006277655.tif 000013
【図１２】
2006277655.tif 000014
【図１３】
2006277655.tif 000015
【図１４】
2006277655.tif 000016
【図１５】
2006277655.tif 000017
【図１６】
2006277655.tif 000018